(57)【特許請求の範囲】
【請求項１】
上衣が掛けられる本体部と、本体部に接続されたフック部とを備えた衣服ハンガーにおいて、
前記本体部は、斜め下方に延びる第１肩掛杆と、前記第１肩掛杆の上端部から前記第１肩掛杆と角度をなして反対側の斜め下方に延びる第２肩掛杆と、前記第１肩掛杆の上端部から斜め上方に延びるフック杆を備え、
前記フック部は、前記フック杆の上端部において、前記本体部の重心より右側または左側の片側にずれ、かつ前記第２肩掛杆の長さ方向の中心より片側にずれた状態で設けられていることを特徴とする衣服ハンガー。
【請求項２】
前記本体部は、水平方向に延びる水平杆をさらに備え、
前記水平杆は、前記第１肩掛杆の下端部と前記第２肩掛杆の下端部に接続されている請求項１に記載の衣服ハンガー。
【請求項３】
前記第２肩掛杆は、前記水平杆との接続部分を支点として回動可能に設けられ、且つ前記第１肩掛杆に脱着可能に設けられた請求項２に記載の衣服ハンガー。
【請求項４】
前記水平杆は、前記第２肩掛杆が収納可能な収納溝が設けられている請求項３に記載の衣服ハンガー。
【請求項５】
前記本体部は、前記本体部の重心より前記フック部が設けられている片側におもりが設けられている請求項１から請求項４のいずれかに記載の衣服ハンガー。
【請求項６】
前記おもりは、前記本体部に沿ってスライド可能に設けられている請求項５に記載の衣服ハンガー。
【発明の詳細な説明】
【技術分野】
【０００１】
本発明は、上衣を掛けてクローゼット等に収納するための衣服ハンガーに関するものである。
【背景技術】
【０００２】
一般に、日々の生活において身に付ける衣服を収納する道具としてタンスがある。しかしながら、タンスに衣服を収納する際、衣服が型崩れしたり衣服に皺が付かないよう衣服をその形状に基づいて丁寧に折り畳まなければならず、面倒であった。
【０００３】
そこで従来から、衣服の形状を保持したまま簡単に衣服を収納する方法として、衣服を衣服ハンガーに掛けて、横桟が設けられたクローゼット等に収納することが行われている。このとき使用される衣服ハンガーには、特許文献１に開示されるように、上衣を掛ける本体部の中央部にフック部が設けられたものが一般的である。
【先行技術文献】
【特許文献】
【０００４】
【特許文献１】実用新案登録第３１２７６１５号
【発明の概要】
【発明が解決しようとする課題】
【０００５】
しかしながら、特許文献１の衣服ハンガーを使用して、クローゼットに多数の上衣を収納すると、クローゼットの横桟の下に多数の上衣が吊り下げられ、多数の上衣が側面を手前側にして横桟の長さ方向に並び、手前側に多数の上衣の側面よりなる平坦面が形成された状態となる。
【０００６】
この状態の中、ユーザーは、新たに上衣をクローゼットに収納すると、収納した上衣が先に収納されていた上衣と一体となって上記平坦面を形成するため、新たに収納した上衣と他の上衣とを区別して収納しにくかった。
【０００７】
このため、ユーザーは、上衣を取り出す際に、上衣を横桟に沿って移動させたり、上衣を引っ張って手前に傾けなければ上衣を容易に判別することができず、所望の上衣を素早く取り出すことが難しかった。
【０００８】
本発明は、上述の問題に鑑みてなされたものであり、上衣を使用頻度や種類などに応じて区別して収納することができ、ひいては所望の上衣を素早く取り出すことが可能な衣服ハンガーを提供することを目的とする。
【課題を解決するための手段】
【０００９】
本発明は、上記目的を達成するために、上衣が掛けられる本体部と、本体部に接続されたフック部とを備えた衣服ハンガーにおいて、前記本体部は、斜め下方に延びる第１肩掛杆と、前記第１肩掛杆の上端部から前記第１肩掛杆と角度をなして反対側の斜め下方に延びる第２肩掛杆と、前記第１肩掛杆の上端部から延びるフック杆を備え、前記フック部は、前記フック杆の上端部において、前記本体部の重心より右側または左側の片側にずれた状態で設けられていることを特徴とする。
【００１０】
これによれば、フック部が本体部の重心より右側または左側の片側にずれた状態で設けられているため、ユーザは本体部に上衣を掛けてフック部を横桟に引っ掛けることにより、上衣をクローゼットの手前側または奥側の片側にずれた状態で吊り下げることができ、上衣を使用頻度や種類などに応じて区別して収納することが可能となる。
【００１１】
また、前記本体部は、水平方向に延びる水平杆をさらに備え、前記水平杆は、前記第１肩掛杆の下端部と前記第２肩掛杆の下端部に接続されていてもよい。これによれば、本体部の強度が増し本体部の変形を防止できるとともに、ユーザは上衣と対になる下衣を折り返すことにより水平杆に掛けることができる。
【００１２】
また、前記第２肩掛杆は、前記水平杆との接続部分を支点として回動可能に設けられ、且つ前記第１肩掛杆に脱着可能に設けられてもよい。これによれば、衣服ハンガーは、第２肩掛杆が水平杆の方向に回動するため、第２肩掛杆と水平杆とを重ねた状態で下衣を掛けたり、あるいは第２肩掛杆と水平杆との間で下衣を挟持することができ、水平杆に掛けられた下衣を安定的に保持することが可能となる。
【００１３】
また、前記水平杆は、前記第２肩掛杆が収納可能な収納溝が設けられてもよい。これによれば、第２肩掛杆を水平杆の方向に回動した際、水平杆の収納溝に収納し得るため、第２肩掛杆を収納したフラットな水平杆に下衣Ｔを掛けたり、あるいは第２肩掛杆と水平杆との間で下衣Ｔを確実に挟持することができる。
【００１４】
また、前記本体部は、前記本体部の重心より前記フック部が設けられている片側におもりが設けられてもよい。これによれば、本体部の重心よりフック部が設けられている片側におもりが設けられているため、衣服ハンガーはフック部が横桟に引っ掛けられたときに平衡のバランスを保つことができる。
【００１５】
また、前記おもりは、前記本体部に沿ってスライド可能に設けられてもよい。これによれば、おもりを本体部に沿ってスライドさせることができるため、衣服ハンガーは掛ける衣服に合わせて平衡のバランスを調節することが可能となる。
【発明の効果】
【００１６】
本発明によれば、フック部が本体部の重心より右側または左側の片側にずれた状態で設けられているため、ユーザは本体部に上衣を掛けてフック部を横桟に引っ掛けることにより、上衣をクローゼットの手前側または奥側の片側にずれた状態で吊り下げることができ、上衣を使用頻度や種類などに応じて区別して収納することが可能となる。このため、ユーザーは、手前側にずれた状態で吊り下げられた上衣を取り出す際に、上衣の側面と側面近傍の正面および背面を目視することにより、上衣を容易に判別することができ、所望の上衣を素早く取り出すことができる。
【図面の簡単な説明】
【００１７】
【図１】本発明の第１の実施形態に係る衣服ハンガーの（ａ）正面図、（ｂ）平面図である。
【図２】衣服ハンガーの使用状態を示す斜視図である。
【図３】図２の衣服ハンガーの使用状態の部分拡大図である。
【図４】第２の実施形態に係る衣服ハンガーの正面図である。
【図５】図３の衣服ハンガーの変形状態を示す正面図である。
【図６】第３の実施形態に係る衣服ハンガーの斜視図である。
【発明を実施するための形態】
【００１８】
＜第１の実施形態＞
次に、本発明の第１の実施形態に係る衣服ハンガーについて、図１〜図３を参照しつつ説明する。なお、本明細書中において、衣服ハンガーの「左」とは、図１に相対した場合の左側方向（図１の矢符Ａの方向）、衣服ハンガーの「右」とは、図１に相対した場合の右側方向（図１の矢符Ａの方向と反対の方向）、衣服ハンガーの「上」とは、図１に相対した場合の上側方向、衣服ハンガーの「下」とは、図１に相対した場合の下側方向をいう。また、上衣Ｊの「左」とは、上衣Ｊを正面視した場合の左側方向、上衣Ｊの「右」とは、上衣Ｊを正面視した場合の右側方向をいう。また、クローゼットＣの「手前側」とは、図２においてユーザＵに近い側、クローゼットＣの「奥側」とは、図２においてユーザＵから遠い側をいう。
【００１９】
衣服ハンガー１は、クローゼットＣに上衣Ｊを掛けて収納するための衣服ハンガーであって、上衣Ｊが掛けられる本体部１１と、本体部１１に接続されたフック部１２と、本体部１１に取り付けられたおもり１３を備えている。衣服ハンガー１は、本体部１１に上衣Ｊが掛けられ、フック部１２がクローゼットＣの横桟Ｐに引っ掛けられることにより、クローゼットＣに上衣Ｊを吊り下げて収納することができる。
【００２０】
前記本体部１１は、図１に示すように、斜め下方に延びる第１肩掛杆１１１と、第１肩掛杆１１１の上端部１１１ａから第１肩掛杆１１１と反対側の斜め下方に延びる第２肩掛杆１１２と、第１肩掛杆１１１の下端部１１１ｂと第２肩掛杆１１２の下端部１１２ｂに接続されている水平杆１１３と、第１肩掛杆１１１の上端部１１１ａから斜め上方に延びるフック杆１１４を備えている。
【００２１】
前記第１肩掛杆１１１は、本体部１１に上衣Ｊが掛けられた際に、上衣Ｊの一方の側の肩部の内側に沿う直線状の棒状部材であり、一般的な人の肩幅の長さの約半分の長さ、具体的には１５０ｍｍ〜３００ｍｍの長さを有している。第１肩掛杆１１１は、肩のラインの沿う角度、具体的には２０°〜３０°の角度で下方に傾斜している。なお、第１肩掛杆１１１は、本実施形態では１０ｍｍ程の厚みを有している。
【００２２】
前記第２肩掛杆１１２は、本体部１１に上衣Ｊが掛けられた際に、上衣Ｊの他方の側の肩部の内側に沿う直線状の棒状部材であり、前記第１肩掛杆１１１と同様に、一般的な人の肩幅の長さの約半分の長さ、具体的には１５０ｍｍ〜３００ｍｍの長さを有している。第２肩掛杆１１２は、第１肩掛杆１１１と１２０°〜１４０°の角度をなしており、肩のラインの沿う角度、具体的には２０°〜３０°の角度で下方に傾斜している。なお、第２肩掛杆１１２は、本実施形態では１０ｍｍ程の厚みを有している。
【００２３】
前記水平杆１１３は、水平方向に延びる直線状の棒状部材であり、右側端部が第１肩掛杆１１１の下端部１１１ｂに接続され、左側端部が第２肩掛杆１１２の下端部１１２ｂに接続されている。このため、本体部１の強度が増し本体部１の変形を防止できるとともに、ユーザＵは上衣Ｊと対になる下衣Ｔを折り返すことにより水平杆１１３に掛けることができる。なお、水平杆１１３は、本実施形態では９ｍｍの厚みを有している。
【００２４】
前記フック杆１１４は、フック部１２を本体部１１の重心から片側にずらすために本体部１１に設けられた棒状部材である。フック杆１１４は、第１肩掛杆１１１の上端部１１１ａから片側の斜め上方、具体的には、第１肩掛杆１１１の上方への延長方向に直線状に延びており、第１肩掛杆１１１の上端部とフック部１２の下端部を接続している。
【００２５】
前記フック部１２は、クローゼットＣ等の横桟Ｐに引っ掛けられるフックであって、フック杆１１４の上端部において、本体部１１の重心Ｇより右側または左側の片側にずれた状態で、好ましくは、第２肩掛杆１１２の長さ方向の中心より片側にずれた状態で、さらに好ましくは、本体部１１の一方の端部近くまで片側にずれた状態で設けられている。なお、本実施形態では、フック部１２は、重心Ｇより左側にずれた状態で設けられている。
【００２６】
これによれば、フック部１２が本体部１１の重心Ｇより左側にずれて設けられているため、図２に示すように、ユーザＵは本体部１１に上衣Ｊを掛けてフック部１２を横桟Ｐに引っ掛けることにより、上衣ＪをクローゼットＣの手前側または奥側の片側にずれた状態で吊り下げることができ、上衣Ｊを使用頻度や種類などに応じて区別して収納することが可能となる。
【００２７】
前記おもり１３は、図１に示すように、本体部１１の重心Ｇより前記フック部１２が設けられている片側に、好ましくは水平杆１１３のフック部１２が設けられている片側の端部に設けられている。これによれば、本体部１１の重心Ｇよりフック部１２が設けられている片側におもり１３が設けられているため、衣服ハンガー１はフック部１２が横桟Ｐに引っ掛けられたときに平衡のバランスを保つことができる。なお、本実施形態では、おもり１３は、水平杆１１３の左側の端部に設けられている。
【００２８】
前記おもり１３は、内部を左右に貫通する貫通孔１３１が設けられ、貫通孔１３１に本体部１１の水平杆１１３が挿通されている。このため、おもり１３を本体部１１の水平杆１１３に沿ってスライドさせることができ、衣服ハンガー１は掛ける衣服に合わせて平衡のバランスを調節することが可能となる。    
【００２９】
なお、前記おもり１３は、本体部１１から着脱自在に設けられてもよい。この場合であっても、おもり１３の位置を変更したり、おもり１３の重さを変更することができ、衣服ハンガー１は掛ける衣服に合わせて平衡のバランスを調節することが可能となる。
【００３０】
而して、収納する上衣Ｊが目立つよう収納する上衣Ｊ１である場合、図１の衣服ハンガー１において、ユーザＵは、まず、本体部１１の第１肩掛杆１１１を上衣Ｊ１の右肩部分の内側に沿わせ、第２肩掛杆１１２を上衣Ｊ１の左肩部分の内側に沿わせて、上衣Ｊ１を衣服ハンガー１の本体部１１に掛ける。次に、ユーザＵは、図２に示すように、フック部１２をクローゼットＣの横桟Ｐに手前側から引っ掛けて、クローゼットＣに上衣Ｊ１を吊り下げると、本体部１１の重心Ｇがフック部１２より手前側に配置されているため、図３に示すように、上衣Ｊ１をクローゼットＣの手前側にずれた状態で吊り下げることができ、上衣Ｊ１を目立つように区別して収納することが可能となる。
【００３１】
また、収納する上衣Ｊが目立たないよう収納する上衣Ｊ２である場合、図１の衣服ハンガー１において、ユーザＵは、まず、衣服ハンガー１を左右方向に反転させて、本体部１１の第１肩掛杆１１１を上衣Ｊ２の左肩部分の内側に沿わせ、第２肩掛杆１１２を上衣Ｊ１の右肩部分の内側に沿わせて、上衣Ｊ２を衣服ハンガー１の本体部１１に掛ける。次に、ユーザＵは、図２に示すように、フック部１２をクローゼットＣの横桟Ｐに奥側から引っ掛けて、クローゼットＣに上衣Ｊ２を吊り下げると、本体部１１の重心Ｇがフック部１２より奥側に配置されているため、図３に示すように、上衣Ｊ１をクローゼットＣの奥側にずれた状態で吊り下げることができ、上衣Ｊ２を目立たないように区別して収納することが可能となる。
【００３２】
このため、ユーザーＵは、手前側にずれた状態で吊り下げられた上衣Ｊ１を取り出す際に、上衣Ｊ１の側面と側面近傍の正面および背面を目視することにより、上衣Ｊ１を容易に判別することができ、所望の上衣Ｊ１を素早く取り出すことができる。
【００３３】
なお、上記実施形態において、前記おもり１３は、水平杆１１３に設けられるとしたが、第１肩掛杆１１１や第２肩掛杆１１２に設けられてもよい。
【００３４】
また、水平杆１１３は、第１肩掛杆１１１の下端部１１１ｂと第２肩掛杆１１２の下端部１１２ｂに接続されているとしたが、第１肩掛杆１１１の中間部や第２肩掛杆１１２の中間部に接続されてもよい。さらに、水平杆１１３が設けられていなくてもよい。
【００３５】
＜第２の実施形態＞
次に、本発明の第２の実施形態に係る衣服ハンガーついて図４〜図５を参照しつつ説明する。なお、以下では上記の実施形態と異なる構成についてのみ説明することとし、同一の構成については説明を省略して同一の符号を付すこととする。
【００３６】
本実施形態に係る衣服ハンガー１は、図４に示すように、本体部１１とは別に、第２肩掛杆１１２の水平杆１１３との接続部分に回動機構１４が設けられている。第２肩掛杆１１２は、水平杆１１３との接続部分の回動機構１４を支点として、水平杆１１３に近接するよう水平杆１１３の方向に回動可能に設けられている。また、第２肩掛杆１１２は、第１肩掛杆１１１との接続部分において脱着機構１５が設けられ、第１肩掛杆１１１に脱着可能に設けられている。
【００３７】
このため、第２肩掛杆１１２は、図５に示すように、第１肩掛杆１１１との接続部分の脱着機構１５を第１肩掛杆１１１から脱着し、水平杆１１３との接続部分の回動機構１４を支点として水平杆１１３の方向に回動して、水平杆１１３との間で下衣Ｔを挟持することができる。これによれば、衣服ハンガー１は、第２肩掛杆１１２と水平杆１１３との間で下衣Ｔを挟持するため、水平杆１１３に掛けられた下衣Ｔを確実に保持することができる。
【００３８】
また、第２肩掛杆１１２は、第１肩掛杆１１１との接続部分の脱着機構１５を第１肩掛杆１１１に固定することにより、上衣Ｊの片側の肩部の内側に沿うラインを形成するため、本体部１１に上衣Ｊを確実に掛けることができる。
【００３９】
なお、本実施形態では、おもり１３が設けられておらず、第２肩掛杆１１２の水平杆１１３との接続部分に設けられた回動機構１４がおもりとして機能している。
【００４０】
また、フック部１２にグリップ機構を設け、グリップ機構が横桟Ｐをグリップすることにより、衣服ハンガー１を横桟Ｐに引っ掛けてもよい。
【００４１】
＜第３の実施形態＞
次に、本発明の第３の実施形態に係る衣服ハンガーついて図６を参照しつつ説明する。
【００４２】
本実施形態に係る衣服ハンガー１は、図６に示すように、水平杆１１３の上面に第２肩掛杆１１２が収納可能な収納溝１１３ａが設けられている。
【００４３】
これによれば、第２肩掛杆１１２を回動機構１４を支点として水平杆１１３の方向に回動した際、水平杆１１３の収納溝１１３ａに収納し得るため、第２肩掛杆１１２を収納したフラットな水平杆１１３に下衣Ｔを掛けたり、あるいは第２肩掛杆１１２と水平杆１１３との間で下衣Ｔを確実に挟持することができる。
【００４４】
以上、図面を参照して本発明の実施形態を説明したが、本発明は、図示した実施形態のものに限定されない。図示された実施形態に対して、本発明と同一の範囲内において、あるいは均等の範囲内において、種々の修正や変形を加えることが可能である。
【符号の説明】
【００４５】
１…衣服ハンガー
１１…本体部
１１１…第１肩掛杆
１１２…第２肩掛杆
１１３…水平杆
１１３ａ…収納溝
１１４…フック杆
１２…フック部
１３…おもり
１３１…貫通孔
１４…回動機構
１５…脱着機構
Ｇ…本体部の重心
Ｊ…上衣
Ｔ…下衣
Ｃ…クローゼット
Ｐ…横桟
Ｕ…ユーザ
【要約】
【課題】  上衣を使用頻度や種類などに応じて区別して収納することができ、ひいては所望の上衣を素早く取り出すことが可能な衣服ハンガーを提供する。
【解決手段】上衣Ｊが掛けられる本体部１１と、本体部１１に接続されたフック部１２とを備えた衣服ハンガー１において、本体部１１は、斜め下方に延びる第１肩掛杆１１１と、第１肩掛杆１１１の上端部１１１ａから第１肩掛杆１１１と角度をなして反対側の斜め下方に延びる第２肩掛杆１１２と、第１肩掛杆１１１の上端部１１１ａから斜め上方に延びるフック杆１１４を備え、フック部１２は、フック杆１１４の上端部において、本体部１１の重心Ｇより右側または左側の片側にずれた状態で設けられている。
【選択図】図１【図１】
0005820546.tif 000002
【図２】
0005820546.tif 000003
【図３】
0005820546.tif 000004
【図４】
0005820546.tif 000005
【図５】
0005820546.tif 000006
【図６】
0005820546.tif 000007